(57)【要約】【課題】複数の測距点が内周部及び外周部を形成するように配置されている場合に、操作性に優れた撮像装置を提供する。【解決手段】測距点選択状態の初期状態では、中央の測距点３０３Ｃが選択された状態となる（点灯表示状態）。電子ダイヤル４６を回転させると、回転方向に同期した形で、選択する測距点を、測距点３０３Ｃから径方向である水平方向の測距点３０４ＣＩ、３０５ＣＯ及び測距点３０２ＣＩ、３０１ＣＯに移動することが可能である。また、ＦＥロックボタン４３を押下してから電子ダイヤル４６を回転させると、回転方向に同期した形で、選択する測距点を周回方向に移動することが可能である。【選択図】図２
2007133027.tif 000002
【特許請求の範囲】
【請求項１】
撮影者が任意のフォーカスエリアを選択できるフォーカスエリア選択状態において複数のフォーカスエリアの中から少なくとも１つのフォーカスエリアを選択する選択操作部材と、
前記選択操作部材の操作により内周部及び外周部の切り替え方向のフォーカスエリア選択を行うモードと前記選択操作部材の操作により第１の周を周回方向にフォーカスエリア選択を行うモードと、前記選択操作部材の操作により前記第１の周部から当該第１の周とは異なる第２の周への切り替え方向のフォーカスエリア選択を行うモードとを切り替える切り替え操作部材とを備えたことを特徴とする撮像装置。
【請求項２】
前記選択操作部材はダイヤル操作部材であることを特徴とする請求項１に記載の撮像装置。
【請求項３】
前記切り替え操作部材は、前記フォーカスエリア選択状態以外では他の機能の操作手段として機能するものであることを特徴とする請求項１又は２に記載の撮像装置。
【請求項４】
撮影者が任意のフォーカスエリアを選択できるフォーカスエリア選択状態において内周部及び外周部の切り替え方向の測距点選択、又は、内周部及び外周部の周回方向のフォーカスエリア選択を行う他の選択操作部材を備えたことを特徴とする請求項１〜３のいずれか１項に記載の撮像装置。
【請求項５】
前記他の選択操作部材を不能とする操作部材を備えたことを特徴とする請求項４に記載の撮像装置。
【請求項６】
撮影者が任意のフォーカスエリアを選択できるフォーカスエリア選択状態において第１の周部の周回方向の測距点選択を行う第１の測距点選択操作部材と、
撮影者が任意のフォーカスエリアを選択できるフォーカスエリア選択状態において前記第１の周部から当該第１の周部とは異なる内周部及び外周部の切り替え方向の測距点選択を行う第１の測距点選択操作部材とを備えたことを特徴とする撮像装置。
【請求項７】
前記第２の選択操作部材は、十字キー又はＸ字キーであることを特徴とする請求項６に記載の撮像装置。
【請求項８】
前記第２の選択操作部材は、内周部及び外周部を切り替える切り替えボタンであることを特徴とする請求項６に記載の撮像装置。
【請求項９】
撮影者が任意のフォーカスエリアを選択できるフォーカスエリア選択状態においてＸ方向のフォーカスエリア選択を行う第３の選択操作部材とを備えたことを特徴とする請求項６〜８のいずれか１項に記載の撮像装置。
【請求項１０】
内周部及び外周部を形成するように配置された複数のフォーカスエリアと、
撮影者が任意のフォーカスエリアを選択できるフォーカスエリア選択状態において前記複数のフォーカスエリアの中から少なくとも１つのフォーカスエリアを選択するダイヤル操作部材とを備え、
前記ダイヤル操作部材の操作により内周部及び外周部の切り替え方向のフォーカスエリア選択と、内周部及び外周部の周回方向のフォーカスエリア選択を行うことを特徴とする撮像装置。
【請求項１１】
内周部及び外周部を形成するように配置された複数のフォーカスエリアと、
撮影者が任意のフォーカスエリアを選択できるフォーカスエリア選択状態において内周部でのフォーカスエリア選択を行う第１の選択操作部材と、
撮影者が任意のフォーカスエリアを選択できるフォーカスエリア選択状態において外周部でのフォーカスエリア選択を行う第２の選択操作部材とを備えたことを特徴とする撮像装置。
【請求項１２】
前記第１の選択操作部材と前記第２の選択操作部材とは、同心配置されたダイヤル操作部材であることを特徴とする請求項１１に記載の撮像装置。
【請求項１３】
撮影者が任意のフォーカスエリアを選択できるフォーカスエリア選択状態においてＸ方向のフォーカスエリア選択を行う第３の選択操作部材とを備えたことを特徴とする請求項１１又は１２に記載の撮像装置。
【発明の詳細な説明】
【技術分野】
【０００１】
本発明は、複数の測距点の中から少なくとも１つの測距点を選択することのできる撮像装置に関する。
【背景技術】
【０００２】
撮影画面内に複数のフォーカスエリアが設定され、いずれかのフォーカスエリアに対応するセンサ出力に基づく焦点検出結果を用いてピント調節を行うオートフォーカスカメラが知られている。近年では、フォーカスエリアが撮影画面内の上下左右に設定されているカメラも存在する。
【０００３】
このようなカメラにおいて、撮影者が複数のフォーカスエリアから特定のフォーカスエリアを選択するための構成が特許文献１等に開示されている。特許文献１に開示されたカメラでは、ダイヤル操作部材の操作によりＸ軸方向のフォーカスエリア選択を行う第１のモードと、ダイヤル操作部材の操作によりＹ軸方向のフォーカスエリア選択を行う第２のモードとを切り替える操作部材を備えている。
【０００４】
更にダイヤル操作部材と、第１の操作部材と、第２の操作部材と、第１の操作部材の操作に応じて、ダイヤル操作部材の操作に基づいてＸ軸方向のフォーカスエリア選択を行い、第２の操作部材の操作に応じて、ダイヤル操作部材の操作に基づいてＹ軸方向のフォーカスエリア選択を行うように制御する制御手段とを備えるものがある。
【０００５】
また、ダイヤル操作部材の操作方向とフォーカスエリアの移動方向を一致させることも公知である。
【０００６】
【特許文献１】特開平１１−３２６７５０号公報
【発明の開示】
【発明が解決しようとする課題】
【０００７】
上記従来例で述べたフォーカスエリア選択の手法は、測距点が碁盤の目のようにＸ方向、Ｙ方向に整然と配置されたものに対しては適している。しかしながら、ある測距点から次の測距点へ移動するにあたり、Ｘ方向、Ｙ方向の測距点選択では選択肢が２種類以上発生するようなケースもあり、その場合には測距点が一義的に決まらないといった不具合があった。このようなケースとして、例えば図４に示す測距点３０３ＵＩから上方向へは測距点３０２ＴＩや測距点３０３ＴＯを選択することが考えられる。この場合に、無理やりにＸ方向、Ｙ方向の測距点選択で対応した場合、測距点選択の操作感覚と測距点移動感覚とが一致しないという不都合があった。
【０００８】
本発明は、かかる点に鑑みてなされたものであり、第１の目的は、選択可能な測距点が多い場合、特に複数の測距点が内周部及び外周部を形成するように配置されている場合に、測距点選択の操作感覚と測距点移動感覚とを一致させることである。また、第２の目的は、第１の目的を達成するに際し、既存のダイヤル操作部材等を利用して、構造が複雑にならないようにすることである。
【課題を解決するための手段】
【０００９】
本発明による撮像装置は、撮影者が任意のフォーカスエリアを選択できるフォーカスエリア選択状態において複数のフォーカスエリアの中から少なくとも１つのフォーカスエリアを選択する選択操作部材と、前記選択操作部材の操作により内周部及び外周部の切り替え方向のフォーカスエリア選択を行うモードと前記選択操作部材の操作により第１の周を周回方向にフォーカスエリア選択を行うモードと、前記選択操作部材の操作により前記第１の周部から当該第１の周とは異なる第２の周への切り替え方向のフォーカスエリア選択を行うモードとを切り替える切り替え操作部材とを備えた点に特徴を有する。
本発明による別の撮像装置は、撮影者が任意のフォーカスエリアを選択できるフォーカスエリア選択状態において第１の周部の周回方向の測距点選択を行う第１の測距点選択操作部材と、撮影者が任意のフォーカスエリアを選択できるフォーカスエリア選択状態において前記第１の周部から当該第１の周部とは異なる内周部及び外周部の切り替え方向の測距点選択を行う第１の測距点選択操作部材とを備えた点に特徴を有する。
本発明による別の撮像装置は、内周部及び外周部を形成するように配置された複数のフォーカスエリアと、撮影者が任意のフォーカスエリアを選択できるフォーカスエリア選択状態において前記複数のフォーカスエリアの中から少なくとも１つのフォーカスエリアを選択するダイヤル操作部材とを備え、前記ダイヤル操作部材の操作により内周部及び外周部の切り替え方向のフォーカスエリア選択と、内周部及び外周部の周回方向のフォーカスエリア選択を行う点に特徴を有する。
本発明による別の撮像装置は、内周部及び外周部を形成するように配置された複数のフォーカスエリアと、撮影者が任意のフォーカスエリアを選択できるフォーカスエリア選択状態において内周部でのフォーカスエリア選択を行う第１の選択操作部材と、撮影者が任意のフォーカスエリアを選択できるフォーカスエリア選択状態において外周部でのフォーカスエリア選択を行う第２の選択操作部材とを備えた点に特徴を有する。
【発明の効果】
【００１０】
本発明によれば、複数の測距点が内周部及び外周部を形成するように配置されている場合に、測距点選択の操作感覚と測距点移動感覚とを一致させることができ、操作性に優れた撮像装置を提供することができる。特に、既存のダイヤル操作部材を利用する場合には、構造が複雑にならないようにすることができる。
【発明を実施するための最良の形態】
【００１１】
以下、添付図面を参照して、本発明の好適な実施形態について説明する。
（第１の実施形態）
図１は、第１の実施形態の一眼レフカメラ４０の概略構成図である。図１において、１は撮影レンズであり、図１では便宜上２枚のレンズ１ａ、１ｂで示すが、実際は多数のレンズにより構成される。２は主ミラーであり、観察状態と撮影状態に応じて撮影光路へ斜設され或いは退去される。３はサブミラーであり、主ミラー２を透過した光束をカメラボデイの下方に設けられた焦点検出装置６へ導く。４はシャッタである。５は感光部材であり、銀塩フィルム或いはＣＣＤやＭＯＳ型等の固体撮像素子により構成される。
【００１２】
６は焦点検出装置であり、結像面近傍に配置されたフィールドレンズ６ａ、反射ミラー６ｂ及び６ｃ、２次結像レンズ６ｄ、絞り６ｅ、複数のＣＣＤからなるラインセンサ６ｆ等により構成され、ここでは位相差方式が採用されている。焦点検出装置６は、図４に示すようにファインダ観察画面３００内の複数のフォーカスエリア（以下、測距点ともいう。）（１９個の測距点マーク３０１ＴＯ、３０２ＴＩ、３０３ＴＯ、３０１ＵＯ、３０２ＵＩ、３０３ＵＩ、３０４ＵＯ、３０１ＣＯ、３０２ＣＩ、３０３Ｃ、３０４ＣＩ、３０５ＣＯ、３０１ＤＯ、３０２ＤＩ、３０３ＤＩ、３０４ＤＯ、３０１ＢＯ、３０２ＢＩ、３０３ＢＯ）を焦点検出可能に構成される。上述のフォーカスエリアは、被写体画像を受けたセンサー出力に基づいて位相差検出を行うエリアに対応して観察用画面３００に観察可能に設けられたエリアである。
【００１３】
これら測距点は、中央（３０３Ｃ）と、それを取り巻く縦長楕円形状の内周部（３０２ＴＩ、３０３ＵＩ、３０４ＣＩ、３０３ＤＩ、３０２ＢＩ、３０２ＤＩ、３０２ＣＩ、３０２ＵＩ）と、横長楕円形状の外周部（３０３ＴＯ、３０４ＵＯ、３０５ＣＯ、３０４ＤＯ、３０３ＢＯ、３０１ＢＯ、３０１ＤＯ、３０１ＣＯ、３０１ＵＯ、３０１ＴＯ）を形成するように配置されている。なお、内周部にあたる測距点のグループには符号の最後にＩを、外周部にあたる測距点のグループには符号の最後にＯを付記する。
【００１４】
７は撮影レンズ１の予定結像面に配置されたピント板である。８はファインダ光路変更用のペンタプリズムである。９、１０は観察画面内の被写体輝度を測定するための結像レンズと測光センサであり、結像レンズ９はペンタプリズム８内の反射光路を介してピント板７と測光センサ１０を共役に関係付けている。
【００１５】
１１は光分割器１１ａを備えた接眼レンズであり、ペンタプリズム８の射出面後方に配される。光分割器１１ａは、例えば可視光を透過し、赤外光及び赤外寄りの可視光（赤色光）を反射するダイクロイックミラーにより構成される。
【００１６】
１２は受光レンズである。１４はＣＣＤ等の光電素子列を２次元的に配したイメージセンサであり、受光レンズ１２に関して所定の位置にある撮影者眼１５の瞳孔近傍と共役になるように配置されている。
【００１７】
１３ａ〜１３ｄ、１３ｅ〜１３ｈは各々撮影者眼１５の照明光源であるところの８個の赤外発光ダイオード（図１では２個のみ図示）であり、接眼レンズ１１の周囲に配置されている。
【００１８】
１６は受光レンズ１２の光軸前方にある光分割器であり、ダイクロイックミラーにより構成される。１７は結像レンズである。１８は透過型液晶ＳＬＣＤである。１９は明るい被写体の中でも透過型液晶ＳＬＣＤ１８の透過部が視認できる高輝度かつ赤外寄りの可視光（赤色光）のバックライトＬＥＤである。光分割器１６は、赤外発光ダイオード１３ａ〜１３ｄ、１３ｅ〜１３ｈの撮影者眼１５の瞳孔からの反射赤外光を透過し、イメージセンサ１４に導くと共に、バックライトＬＥＤ１９の赤外寄りの可視光（赤色光）を反射し、撮影者眼１５の瞳孔へ導く。透過型液晶ＳＬＣＤ１８は、撮影者眼１５の瞳孔から見た場合、結像レンズ１７、接眼レンズ１１を介してピント板７と共役になるように配置されている。バックライトＬＥＤ１９から発光された光は透過型液晶ＳＬＣＤ１８の透過部を通り、光分割器１６、１１ａで曲げられ、接眼レンズ１１を通って撮影者眼１５に達する。
【００１９】
図５（ａ）は、透過型液晶ＳＬＣＤ１８の構成を示す図である。矢印ＸはバックライトＬＥＤ１９からの赤色光である。偏光板１８ａ１、１８ａ２及びガラス板１８ｂ１、１８ｂ２でＴＮ型の液晶１８ｃが挟まれ、封止されている。また、ガラス板１８ｂ２の液晶１８ｃ側には、不透過部とするための金属蒸着膜１８ｄが設けられている。１８ｅは液晶１８ｃを駆動するための電極が設けられている電極面である。
【００２０】
図５（ｂ）は、透過型液晶ＳＬＣＤ１８を偏光板１８ａ２から見た図である。金属蒸着膜１８ｄでは、１８ｆを含む１９個の矩形部のみ金属蒸着膜１８ｄが施されていない。更に１８ｆを含む１９個の矩形部に対応する位置に液晶１８ｃの駆動部が設けられている。この駆動部が駆動することにより、バックライトＬＥＤ１９からの赤色光を撮影者眼１５側へ透過させ、駆動しない場合には、バックライトＬＥＤ１９からの赤色光を遮蔽する。
【００２１】
図５（ｂ）の１８ｆを含む１９個の矩形部は、焦点検出装置６の焦点検出領域に対応する位置に、即ち図４に示すファインダ観察画面３００内の１９個のフォーカスエリアに対応した位置に存在する。バックライトＬＥＤ１９を点灯させ、透過型液晶ＳＬＣＤ１８の焦点検出領域に対応する１８ｆを含む１９個の矩形部いずれかを透過部とすることができる。これにより、ファインダ観察画面３００内で測距点マークとして光り、フォーカスエリアを表示する（スーパーインポーズ表示）。
【００２２】
図４には、透過型液晶ＳＬＣＤ１８の１８ｆを透過部として、中央の測距点マーク３０３Ｃが光っている点灯表示状態を示す。なお、透過型液晶ＳＬＣＤ１８の１８ｆ以外の１８個の矩形部は非透過部となっており、測距点マーク３０３Ｃ以外は非点灯表示状態となっている。即ち、撮影者がファインダ観察画面３００を観察する際には、非点灯表示状態の測距点マークは見えない。
【００２３】
ここで、左右端の測距点マーク３０１ＣＯ、３０５ＣＯは、眼球の個人差補正データ（視線補正係数）を採取する（以下、これを「キャリブレーション」と称する）際に点灯するものである。
【００２４】
３０６はファインダ視野領域を形成する視野マスクである。３０７はファインダ視野外に撮影情報を表示するためのファインダ内ＬＣＤである。図１に示すように、照明用ＬＥＤ（Ｆ-ＬＥＤ）２５によって照明され、ＬＣＤ２４を透過した光が三角プリズム２６によってファインダ内に導かれ、図４に示すようにファインダ視野外に表示され、撮影者は該撮影情報を観察している。
【００２５】
図１に説明を戻して、２７は姿勢検知手段であり、カメラ４０の姿勢を検知する姿勢検知スイッチである。
【００２６】
３１は撮影レンズ１内に設けた絞りである。３２は後述する絞り駆動回路１１１を含む絞り駆動装置である。３３はレンズ駆動用モータである。３４は駆動ギヤ等からなるレンズ駆動部材である。３５はフォトカプラであり、レンズ駆動部材３４に連動するパルス板３６の回転を検知してレンズ焦点調節回路１１０に伝える。レンズ焦点調節回路１１０は、この情報とカメラ側からのレンズ駆動量の情報に基づいてレンズ駆動用モータを所定量駆動させ、撮影レンズ１を合焦位置に移動させるようになっている。３７は公知のカメラ本体とレンズユニットとのインターフェースとなるマウント接点である。
【００２７】
図２、図３は、カメラ４０の外観図である。なお、交換可能なレンズユニットの図示は省略する。カメラ４０において、４１はレリーズボタンである。４２は外部モニタ表示装置としてのモニタ用ＬＣＤであり、図９に示すように、予め決められたパターンを表示する固定セグメント表示部４２ａと、可変数値表示用の７セグメント表示部４２ｂとにより構成される。
【００２８】
４３はＦＥロックボタンであり、レリーズボタン４１の近傍に配置されている。ＦＥロックボタン４３により、ボタンストロボ装着時には、ストロボのプリ発光による測光値を保持し、ストロボ非装着時には、マルチスポット測光といわれる公知のいくつかの点での測光値を平均演算するための測光値の取り込みを行う。
【００２９】
４４は測光値を保持するＡＥロックボタンである。４５ａ、４５ｂ、４５ｃはモードボタンであり、撮影モード等の選択を行う。例えばモードボタン４５ｂ、４５ｃの同時押しでは上述した眼球の個人差補正データ（視線補正係数）を採取する視線のキャリブレーションを行うキャリブレーションモードとなる。
【００３０】
４６は電子ダイヤルであり、回転してクリックパルスを発生させることによってモードボタン４５ａ、４５ｂ、４５ｃで選択されたモードの中でさらに選択し得るモード、及び設定値を選択できる。例えばモードボタン４５ａを押して電子ダイヤル４６にてシャッタ優先の撮影モードを選択すると、ファインダ内ＬＣＤ２４及びモニタ用ＬＣＤ４２には、現在設定されているモードとシャッタスピードが表示される。更に撮影者がモードボタン４５ａを離した後、電子ダイヤル４６を回転させるとその回転方向に従って現在設定されているシャッタスピードから順次シャッタスピードが変化していくように構成されている。このようにして撮影者がプログラムＡＥ、シャッタ優先ＡＥ、絞り優先ＡＥ、被写体深度優先ＡＥ、マニュアル露出の各撮影モードと撮影内容を設定することができる。
【００３１】
図９（ａ）、（ｂ）には、モニタ用ＬＣＤ４２とファインダ内ＬＣＤ２４の全表示セグメントの内容を示す。図９（ａ）において、固定セグメント表示部４２ａには、公知の撮影モード表示以外に、ＡＦ動作や撮影モードの選択等の撮影動作を表示する部分が設けられている。可変数値表示用の７セグメント表示部４２ｂは、シャッタ秒時を表示する４桁の７セグメント８２、絞り値を表示する２桁の７セグメント８３と小数点８４、フィルム枚数を表示する限定数値表示セグメント８５と１桁の７セグメント８６により構成される。
【００３２】
図９（ｂ）において、９１は手ブレ警告マークである。９２はＡＥロックマークである。９３、９４、９５はシャッタ秒時表示と絞り値表示と同一の表示セグメントである。９６は露出補正設定マークである。９７はストロボ充完マークである。９８は視線入力状態であることを示す視線入力マークである。９９は撮影レンズ１の合焦状態を示す合焦マークである。
【００３３】
図２、図３に説明を戻して、４７は測距点選択ボタンであり、撮影者がこれを押下することで所定の測距点が点灯し、その所定の測距点から任意の測距点に移動操作可能とする測距点選択状態となる。
【００３４】
測距点選択状態の初期状態では、中央の測距点３０３Ｃが選択された状態となる（点灯表示状態）。この状態から、電子ダイヤル４６を回転させると、回転方向に同期した形で、図６Ａに示すように、選択する測距点を、測距点３０３Ｃから径方向である水平方向の測距点３０４ＣＩ、３０５ＣＯ及び測距点３０２ＣＩ、３０１ＣＯに移動することが可能である。電子ダイヤル４６の時計回り方向の回転では図中矢印の＋Ｒ方向へ、電子ダイヤル４６の反時計回り方向の回転では図中矢印と反対の−Ｒ方向へ測距点選択が移動する。そして、移動後の測距点が点灯表示され、撮影者が選択した測距点を認識することができる。
【００３５】
測距点選択ボタン４７を再度押下したり、タイマーでの設定保持時間以内であったりする測距点選択状態で、ＦＥロックボタン４３を押下してから電子ダイヤル４６を回転させると、回転方向に同期した形で、選択する測距点を周回方向に移動することが可能である。図６Ｂに示すように、測距点３０５ＣＯが点灯表示されていたならば、電子ダイヤル４６を回転させると、回転方向に同期した形で、選択する測距点を外周部の周回方向の測距点３０４ＤＯ、３０３ＢＯ、３０１ＢＯ、３０１ＤＯ、３０１ＣＯ、３０１ＵＯ、３０１ＴＯ、３０３ＴＯ、３０４ＵＯに移動することが可能である。電子ダイヤル４６の時計回り方向の回転では図中時計回りの＋θ方向へ、電子ダイヤル４６の反時計回り方向の回転では図中反時計回りの−θ方向へ測距点選択が移動する。そして、移動後の測距点が点灯表示され、撮影者が選択した測距点を認識することができる。
【００３６】
同様に、測距点３０４ＣＩが点灯表示されていたならば、電子ダイヤル４６を回転させると、回転方向に同期した形で、選択する測距点を内周部の周回方向の測距点３０３ＤＩ、３０２ＢＩ、３０２ＤＩ、３０２ＣＩ、３０２ＵＩ、３０２ＴＩ、３０３ＵＩに移動することが可能である。電子ダイヤル４６の時計回り方向の回転では図中時計回りの＋θ方向へ、電子ダイヤル４６の反時計回り方向の回転では図中反時計回りの−θ方向へ測距点選択が移動する。そして、移動後の測距点が点灯表示され、撮影者が選択した測距点を認識することができる。
【００３７】
なお、測距点配置は上下左右対称なので、径方向の移動による測距点選択で３０１ＣＯが選択されたときは既述した３０５ＣＯ以降の周回方向選択に、３０２ＣＩが選択されたときは既述した３０４ＣＩ以降の周回方向選択に準ずる。
【００３８】
カメラ４０は、上述したように撮影者が任意の測距点を選択できる測距点選択状態となる測距点任意選択モード以外に、視線入力モードと測距点自動選択モードとを有する。視線入力モードでは、１９個の測距点を選択するにあたり、撮影者の眼球の光軸の回転角を検出し、眼球回転角から撮影者の視線を算出する視線検出装置を利用して測距点を選択する。測距点自動選択モードでは、１９個の測距点に対応する１９個の測距領域全ての測距結果からカメラ自身が所定のアルゴリズムで測距点を抽出、選択する。
【００３９】
５０はカメラ４０の電源スイッチであり、これをＯＮ位置にすることでカメラ４０が起動し、ＯＦＦ位置でカメラ４０を不作動とするロックポジションとなる。５１撮影者がカメラ４０をホールドした状態の右手であり、５１ａは人差し指、５１ｂは親指である。
【００４０】
ＦＥロックボタン４３、電子ダイヤル４６は、いずれもレリーズボタン４１の近傍に配置されている。したがって、撮影者がカメラ４０をホールドし、ファインダを覗き、撮影準備動作に入った際、その姿勢のままで、レリーズボタン４１を押下する人差し指５１ａで、ＦＥロックボタン４３、電子ダイヤル４６を操作することが可能である。測距点選択ボタン４７もまた、撮影者がカメラ４０をホールドし、ファインダを覗き、撮影準備動作に入った際、その姿勢のままで、親指５１ｂで操作することが可能である。
【００４１】
図７（ａ）、（ｂ）は、電子ダイヤル４６の内部構造を示す詳細図である。電子ダイヤル４６と共に回転するクリック板６１が配置され、クリック板６１にはプリント基板６２が設けられている。プリント基板６２には、スイッチパターン６２ａ（ＳＷＤＩＡＬ-１）、スイッチパターン６２ｂ（ＳＷＤＩＡＬ-２）、ＧＮＤパターン６２ｃが配置されている。また、３個の摺動接片６３ａ、６３ｂ、６３ｃを持つスイッチ接片６３が固定部材６６に固定されている。
【００４２】
クリック板６１の外周部には凹部６１ａが形成されており、凹部６１ａに嵌り込むクリックボール６５が配置されている。クリックボール６５は、固定部６６に保持されたコイルバネ６４により付勢されている。クリックボール６５が凹部６１ａに嵌り込んでいる通常位置においては、摺動接片６３ａ、６３ｂはスイッチパターン６２ａ、６２ｂのどちらにも接触していない。
【００４３】
かかる構成とされた電子ダイヤル４６において、撮影者が電子ダイヤル４６を図７（ａ）中の時計回り方向に回転させると、摺動接片６３ｂがスイッチパターン６２ｂに先に接触する。その後に摺動接片６３ａがスイッチパターン６２ａに接触して、このタイミングで設定値をカウントアップさせる。反時計回り方向に回転させると、摺動接片とスイッチパターンとの関係はちょうど反対となり、同様のタイミングで今度は設定値をカウントダウンさせる。
【００４４】
図７（ｂ）は、この様子を示したタイミングチャートであり、電子ダイヤル４６を回転させたときにスイッチパターン６２ａ、６２ｂに発生するパルス信号とそのタイミングを示している。上段は時計回り方向に１クリックだけ回転させた場合を、下段は反時計回り方向に回転させた場合を示し、このようにしてカウントアップダウンのタイミングと回転方向を検出している。
【００４５】
図８は、本実施形態のカメラ４０の電気回路構成の要部を示すブロック図である。なお、図８において既に説明した構成要素と同一のものは同一の符号を付して説明する。カメラ本体に内蔵されたマイクロコンピュータの中央処理装置（ＣＰＵ）１００には、視線検出回路１０１、測光回路１０２、自動焦点検出回路１０３、信号入力制御回路１０４、ＬＣＤ駆動回路１０５ａ、ＳＬＣＤ駆動回路１０５ｂ、バックライトＬＥＤ駆動回路１０６、ＩＲＥＤ駆動回路１０７、シャッタ制御回路１０８、モータ制御回路１０９が接続されている。また、レンズユニット内に配置される焦点調節回路１１０、絞り駆動回路１１１とは図１に示すマウント接点３７を介して信号の伝達がなされる。
【００４６】
ＣＰＵ１００はＲＡＭを内蔵しており、視線のキャリブレーションデータを内蔵ＲＡＭに記憶する機能を有する。カメラ４０のモードを「視線キャリブレーション」にすると、視線の個人差の補正を行うための視線補正データ（以下、「キャリブレーションデータ」と称する）を取得するキャリブレーションモードが選択可能となり、各キャリブレーションデータ、及びキャリブレーション動作「ＯＦＦ」と視線検出の禁止モードの設定が電子ダイヤル４６にて可能となっている。
【００４７】
視線検出回路１０１は、イメージセンサ１１４（ＣＣＤ−ＥＹＥ）からの眼球像の出力をＡ／Ｄ変換し、この像情報をＣＰＵ１００に送信する。ＣＰＵ１００は、視線検出に必要な眼球像の各特徴点を所定のアルゴリズムに従って抽出し、さらに各特徴点の位置から撮影者の視線を算出する。ＣＰＵ１００と視線検出回路１０１、そしてイメージセンサ１４は視線検出装置の一要素を構成している。
【００４８】
測光回路１０２は、測光センサ１０（図８では符号１１５）からの出力を増幅後、対数圧縮、Ａ／Ｄ変換し、各センサの輝度情報としてＣＰＵ１００に送信する。測光センサ１１５は、図４に示すファインダ観察画面３００内の１９個の測距点各々に対応した領域を測光するＳＰＣ-ＡからＳＰＣ-Ｓの１９個のフォトダイオードにより構成される。
【００４９】
焦点検出装置６のラインセンサ６ｆ（図８では符号１１６）は、上述したように画面内の１９個の測距点に対応した１９組のＣＣＤにより構成される（なお、図８ではＣＣＤを１５個しか図示しない）。自動焦点検出回路１０３は、これらラインセンサ１１６から得た電圧をＡ／Ｄ変換し、ＣＰＵ１００に送る。
【００５０】
ＳＷ-１は、レリーズボタン４１の第１ストロークでＯＮし、測光、ＡＦ、視線検出動作を開始する測光スイッチである。ＳＷ-２は、レリーズボタン４１の第２ストロークでＯＮするレリーズスイッチである。ＡＮＧ-ＳＷ１、ＡＮＧ-ＳＷ２は、姿勢検出スイッチ２７によって検知される姿勢検出スイッチである。ＳＷ-ＡＥＬは、ＡＥロックボタン４４を押下することによってＯＮするＡＥロックスイッチである。ＳＷ-ＡＦＳは、測距点選択ボタン４７を押下することによってＯＮする測距点選択状態スイッチである。ＳＷ-ＦＥＬは、ＦＥロックボタン４３を押下することによってＯＮするＦＥロックスイッチである。ＳＷ−ＤＩＡＬ１及びＳＷ−ＤＩＡＬ２は、電子ダイヤル４６内に設けたダイヤルスイッチであり、信号入力制御回路１０４のアップダウンカウンタに入力され、電子ダイヤル４６の回転クイック量をカウントする。これらスイッチの信号が信号入力制御回路１０４に入力され、データバスによってＣＰＵ１００に送信される。
【００５１】
ＬＣＤ駆動回路１０５ａは、液晶表示素子ＬＣＤを表示駆動させるためのものであり、ＣＰＵ１００からの信号に従って、絞り値、シャッタ秒時、設定した撮影モード等の表示をモニタ用ＬＣＤ４２とファインダ内ＬＣＤ２４の両方に同時に表示する。
【００５２】
ＳＬＣＤ駆動回路１０５ｂは、透過型液晶ＳＬＣＤ１８を表示駆動させるためのものであり、ＣＰＵ１００からの信号に従って、１９個の測距点に対応した測距マークを状況に応じて選択的に透過、非透過の制御を行う。
【００５３】
バックライトＬＥＤ駆動回路１０６は、バックライトＬＥＤ１９を点灯、点滅制御するる。更に点灯時、測光回路１０２からの信号をＣＰＵ１００が演算した信号に従って、点灯輝度を変化させ、ファインダ内の明るさに応じて測距点を認識し易くする。
【００５４】
シャッタ制御回路１０８は、通電すると先幕を走行させるマグネットＭＧ-１と、後幕を走行させるマグネットＭＧ-２とを制御し、感光部材に所定光量を露光させる。
【００５５】
モータ制御回路１０９は、フィルムの巻き上げを行うモータＭ１と主ミラー２及びシャッタ４のチャージ、巻き戻しを行うモータＭ２を制御する。これらシャッタ制御回路１０８、モータ制御回路１０９によって一連のレリーズシーケンスが動作する。
【００５６】
グリップ兼電池室５１０は、電池１１３を内蔵しており、コネクタ５６のＰ-ＧＮＤ、ＶＢＡＴの端子とメカ的電気的に接合し、本体電源系１１２にカメラ電源を供給している。コネクタ５６のＰ-ＧＮＤ、ＶＢＡＴ以外の端子やコネクタ５７、コネクタ５８の端子は、モータドライブ等の付属品の装着時に利用される端子である。
【００５７】
スイッチ５９は、グリップ兼内蔵電池室５１０、或いは、モータドライブ等の付属品の装着を認識するスイッチであり、装着状態でＤ-ＧＮＤと切り離されたことを検知する。
【００５８】
次に、図１０のフローチャートを参照して、本実施形態のカメラ４０での処理動作を説明する。電源スイッチ５０をＯＮ位置にすると、不作動状態からカメラ４０の電源がＯＮされる（ステップＳ１００）。
【００５９】
ＣＰＵ１００の状態を確認し、所定のカメラ状態になるように変数をリセットする（ステップＳ１０１）。そして、カメラ４０はレリーズボタン４１が押し込まれて測光スイッチＳＷ-１がＯＮされるまで待機する（ステップＳ１０２）。測光スイッチＳＷ-１がＯＮされたことを信号入力制御回路１０４が検知すると、ＣＰＵ１００は、各部を起動状態にし、その状態を検知、確認する（ステップＳ１０３）。
【００６０】
ＣＰＵ１００は、視線検出禁止かどうかを視線検出回路１０１に確認する（ステップＳ１０４）。
【００６１】
ステップＳ１０４において視線検出禁止であれば、視線検出は実行せずに、即ち視線情報を用いずに測距点自動選択モード（ステップＳ１０７）に移り、１９個の測距点に対応する１９個の測距領域全ての測距結果からカメラ自身が所定のアルゴリズムで測距点を選択するサブルーチンを実行する（ステップＳ１０８）。このとき、ＬＣＤ駆動回路１０５ａはファインダ内ＬＣＤ２４の視線入力マーク９８を消灯するので、撮影者はカメラ４０が視線検出を行わないことを確認できる（図４、図９（ｂ））。
【００６２】
ステップＳ１０４において視線検出禁止でなければ、視線検出回路１０１は視線検出を実行する（ステップＳ１０５）。このとき、バックライトＬＥＤ駆動回路１０６は照明用ＬＥＤ（Ｆ−ＬＥＤ）２５を点灯させると共に、ＬＣＤ駆動回路１０５ａはファインダ内ＬＣＤ２４の視線入力マーク９８を点灯させるので、撮影者はカメラ４０が視線検出を行っていることを確認できる。
【００６３】
また、７セグメント９３には設定されたシャッタ秒時が表示される。ここで、視線検出回路１０１において検出された視線はピント板７上の注視点座標に変換される。ＣＰＵ１００は、該注視点座標に近接した１９個の測距点から測距点を選択し（ステップＳ１０６）、バックライトＬＥＤ駆動回路１０６でバックライトＬＥＤ１９を点灯させると共に、ＳＬＣＤ駆動回路１０５ｂに信号を送信して透過型液晶ＳＬＣＤ１８を用いて前記測距点マークを点灯表示させる（ステップＳ１１２）。
【００６４】
例えば注視点の信頼性が低く、撮影者が該撮影者の視線によって選択された測距点が表示されたのを見て、その測距点が正しくないと認識してレリーズボタン４１から手を離し測光スイッチＳＷ-１がＯＦＦになると（ステップＳ１１３）、カメラ４０は測光スイッチＳＷ-１がＯＮされるまで待機する（ステップＳ１０２）。
【００６５】
ステップＳ１０７において測距点自動選択モードでなければ、撮影者が１９個の測距点から任意に測距点を選択可能な測距点任意選択モードに移る（ステップＳ１０９）。測距点任意選択モード（ステップＳ１０９）で測距点選択ボタン４７が押下されると、測距点選択状態（ステップＳ１１０）に移る。そして、撮影者が図１１で詳述する測距点移動ルーチン（ステップＳ１１１）で１９個の測距点から任意に測距点を選択できる（ステップＳ１１１）。測距点選択ボタン４７が押下されない場合、即ち測距点選択状態（ステップＳ１１０）でない場合は、現状選択されている測距点が選択されたことになる。
【００６６】
ＣＰＵ１００は、バックライトＬＥＤ駆動回路１０６でバックライトＬＥＤ１９を点灯させると共に、ＳＬＣＤ駆動回路１０５ｂに信号を送信して透過型液晶ＳＬＣＤ１８を用いて上述したように選択された測距点マークを点灯表示させる（ステップＳ１１２）。
【００６７】
撮影者が選択された測距点が点灯表示されたのを見て、その測距点が正しくないと認識してレリーズボタン４１から手を離し測光スイッチＳＷ-１がＯＦＦになると（ステップＳ１１３）、カメラ４０は測光スイッチＳＷ-１がＯＮされるまで待機する（ステップＳ１０２）。
【００６８】
撮影者が選択された測距点が点灯表示されたのを見て、レリーズボタン４１を押し続け、測光スイッチＳＷ-１がＯＮのままであれば（ステップＳ１１３）、選択された測距点及び１つ以上の関連する測距点において自動焦点検出回路１０３が焦点検出動作を行う（ステップＳ１１４）。
【００６９】
ここで選択された測距点が測距不能であるかを判定し（ステップＳ１１５）、不能であればＣＰＵ１００はＬＣＤ駆動回路１０５ａに信号を送ってファインダ内ＬＣＤ２４の合焦マーク９９を点滅させ、測距がＮＧ（不能）であることを撮影者に警告し（ステップＳ１２３）、測光スイッチＳＷ-１がＯＦＦになるまで続ける（ステップＳ１２４）。
【００７０】
それに対して、測距が可能であり、所定のアルゴリズムで選択された測距点の焦点調節状態が合焦でなければ（ステップＳ１１６）、ＣＰＵ１００はレンズ焦点調節回路１１０に信号を送って所定量だけ撮影レンズ１を駆動させる（ステップＳ１１７）。レンズ駆動後、自動焦点検出回路１０３は再度焦点検出を行い（ステップＳ１１４）、撮影レンズ１が合焦しているか否かの判定を行う（ステップＳ１１６）。
【００７１】
所定の測距点において撮影レンズ１が合焦したならば、ＣＰＵ１００はＬＣＤ駆動回路１０５ａに信号を送ってファインダ内ＬＣＤ２４の合焦マーク９９を点灯させると共に、ＳＬＣＤ駆動回路１０５ｂにも信号を送って透過型液晶ＳＬＣＤ１８の合焦している測距点に合焦表示させる（ステップＳ１１８）。このとき、合焦表示される測距点と選択された測距点とは一致する場合が多いので、合焦したことを撮影者に認識させるために、この合焦表示は、透過型液晶ＳＬＣＤ１８の測距マーク部の点滅や、バックライト用ＬＥＤ１９の輝度をかえて測距点表示（ステップＳ１１２）と区別されている。
【００７２】
合焦した測距点がファインダ内に表示されたのを撮影者が見て、その測距点が正しくないと認識してレリーズボタン４１から手を離し測光スイッチＳＷ-１がＯＦＦになると（ステップＳ１１９）、引き続きカメラ４０は測光スイッチＳＷ-１がＯＮされるまで待機する（ステップＳ１０２）。
【００７３】
撮影者が合焦表示された測距点を見て、引き続き測光スイッチＳＷ-１がＯＮのままであれば（ステップＳ１１９）、ＣＰＵ１００は測光回路１０２に信号を送信して測光を行わせる（ステップＳ１２０）。このとき、合焦した測距点を含む測光領域ＣＣＤを選択し、重み付けを行った露出値が演算される。本実施形態の場合、中央の測距点３０３Ｃを含む測光領域ＣＣＤに重み付けされた公知の測光演算を行い、この演算結果として７セグメント９４と小数点９５を用いて絞り値（Ｆ５．６）を表示する。
【００７４】
さらに、レリーズボタン４１が押し込まれてレリーズスイッチＳＷ-２がＯＮされたか否かの判定を行い（ステップＳ１２１）、レリーズスイッチＳＷ-２がＯＦＦであれば、再び測光スイッチＳＷ-１の状態の確認を行う（ステップＳ１１９）。また、レリーズスイッチＳＷ-２がＯＮされたならば、ＣＰＵ１００はシャッタ制御回路１０８、モータ制御回路１０９、絞り駆動回路１１１にそれぞれ信号を送信する。
【００７５】
まずマグネットＭＧ-２に通電し、主ミラー２をアップさせ、絞り３１を絞り込んだ後、マグネットＭＧ-１に通電しシャッタ４の先幕を開放する。絞り３１の絞り値及びシャッタ４のシャッタスピードは、測光回路１０２にて検知された露出値と感光部材５の感度から決定される。所定のシャッタ秒時（例えば１／２５０秒）経過後マグネットＭＧ-２に通電し、シャッタ４の後幕を閉じる。感光部材５への露光が終了すると、マグネットＭＧ-２に再度通電し、ミラーダウン、シャッタチャージを行うと共にマグネットＭＧ-１にも通電し、フィルムのコマ送りを行い、一連のシャッタレリーズシーケンスの動作が終了する（ステップＳ１２２）。その後、カメラ４０は再び測光スイッチＳＷ-１がＯＮになるまで待機する（ステップＳ１０２）。
【００７６】
以下、図１１のフローチャートを参照して、測距点移動ルーチン（ステップＳ１１１）について詳述する。測距点任意選択モード（ステップＳ１０９）で測距点選択ボタン４７が押下されると、測距点選択状態（ステップＳ１１０）に移り、測距点移動ルーチンが開始される。
【００７７】
まずＣＰＵ１００は、ＦＥロックボタン４３によるＳＷ-ＦＥＬの信号入力が信号入力制御回路１０４にあるか否かを確認する（ステップＳ２０１）。
【００７８】
ステップＳ２０１においてＦＥロックボタン４３が押下されず、ＳＷ-ＦＥＬの信号入力が信号入力制御回路１０４になければ、ＣＰＵ１００は、電子ダイヤル４６によるＳＷ-ＤＩＡＬ１、ＳＷ-ＤＩＡＬ２の信号入力が信号入力制御回路１０４にあるか否かを確認する（ステップＳ２０２）。
【００７９】
電子ダイヤル４６によるＳＷ-ＤＩＡＬ１、ＳＷ-ＤＩＡＬ２の信号入力があれば、図６Ａに示すように、測距点の内周部や外周部の切り替えのための径方向移動を行う径方向測距点移動ルーチンに移る（ステップＳ２０３）。ここでは、図７（ｂ）に示すＳＷ-ＤＩＡＬ１、ＳＷ-ＤＩＡＬ２の入力で、電子ダイヤル４６の回転方向を判別し、信号量により測距点を移動させる。
【００８０】
具体的には、中央の測距点３０３Ｃが選択されて点灯している状態で、電子ダイヤル４６を図７（ａ）でのクリック板６１を１クリックだけ右側（時計回り方向）に回転操作すれば、ＳＷ-ＤＩＡＬ１、ＳＷ-ＤＩＡＬ２の信号は、アップダウンカウンタで、回転方向と１クリック分の信号入力を判別し、ＣＰＵ１００は、ＳＬＣＤ駆動回路１０５ｂに信号を送る。そして、点灯している中央の測距点３０３Ｃに対応する測距マークを不透過部とし、測距点３０４ＣＩに対応する測距マークを透過部とすることで、点灯する測距点は、測距点３０３Ｃから径方向右側の測距点３０４ＣＩに移動する。更に電子ダイヤル４６を１クリックだけ右側に回転操作すれば、点灯する測距点は、測距点３０４ＣＩから径方向右側の測距点３０５ＣＯに移動する。更に電子ダイヤル４６を右側（時計方向）に１クリック分以上回転操作しても測距点が存在しないので、点灯する測距点は、測距点３０５ＣＯのままである。
【００８１】
同様に、中央の測距点３０３Ｃが選択されて点灯している状態で、電子ダイヤル４６を左側（反時計回り方向）に回転操作すれば、点灯する測距点は、測距点３０３Ｃから径方向左側の測距点３０２ＣＩ、更には３０１ＣＯに移動する。
【００８２】
径方向測距点移動ルーチン（ステップＳ２０３）が終了すると、再び測距点選択状態であるか否かを確認する（ステップＳ２０６）。ＳＷ-ＤＩＡＬ１、ＳＷ-ＤＩＡＬ２、ＳＷ-ＦＥＬ、ＳＷ−ＡＦＳ（ＡＦフレーム選択ボタンスイッチです）のいずれかの最後の信号入力から所定時間内、本実施形態では６秒内、測距点選択状態である。
【００８３】
ステップＳ２０１においてＦＥロックボタン４３が押下され、ＳＷ-ＦＥＬの信号入力が信号入力制御回路１０４にあれば、ＣＰＵ１００は、電子ダイヤル４６によるＳＷ-ＤＩＡＬ１、ＳＷ-ＤＩＡＬ２の信号入力が信号入力制御回路１０４にあるか否かを確認する（ステップＳ２０４）。
【００８４】
電子ダイヤル４６によるＳＷ-ＤＩＡＬ１、ＳＷ-ＤＩＡＬ２の信号入力があれば、図６Ｂに示すように、測距点の内周部や外周部の周回方向移動を行う周回方向測距点移動ルーチンに移る（ステップＳ２０５）。ここでも、径方向測距点移動ルーチン（ステップＳ２０３）と同様にＳＷ-ＤＩＡＬ１、ＳＷ-ＤＩＡＬ２の入力で、電子ダイヤル４６の回転方向を判別し、信号量により測距点を移動させる。
【００８５】
具体的には、測距点３０５ＣＯが選択されて点灯している状態で、電子ダイヤル４６を１クリックだけ左側（反時計回り方向）に回転操作すれば、ＳＷ-ＤＩＡＬ１、ＳＷ-ＤＩＡＬ２の信号は、アップダウンカウンタで、回転方向と１クリック分の信号入力を判別し、ＣＰＵ１００は、ＳＬＣＤ駆動回路１０５ｂに信号を送る。そして、点灯している測距点３０５ＣＯに対応する測距マークを不透過部とし、測距点３０４ＵＯに対応する測距マークを透過部とすることで、点灯する測距点は、測距点３０５ＣＯから周回方向上側の測距点３０４ＵＯに移動する。更に電子ダイヤル４６を左側（反時計回り方向）に１クリック分以上回転操作すると、クリックの数だけ選択表示が外周測距点を反時計回り方向に移動し、測距点を周回選択できる。電子ダイヤル４６の右側（時計回り方向）に回転操作すれば、点灯している外周測距点は、時計回り方向に周回移動する。
【００８６】
ここで、周回方向の測距点移動から径方向の測距点移動を行いたければ、再び測距点選択ボタン４７を押下することで測距点選択状態（ステップＳ１１０）に戻り、ここで電子ダイヤル４６の操作を行えば良い。
【００８７】
周回方向測距点移動ルーチン（ステップＳ２０５）が終了すると、再び測距点選択状態であるか否かを確認する（ステップＳ２０６）。ＳＷ-ＤＩＡＬ１、ＳＷ-ＤＩＡＬ２、ＳＷ-ＦＥＬ、ＳＷ-ＡＦＳのいずれかの最後の信号入力から所定時間内、本実施形態では６秒内、測距点選択状態である。
【００８８】
測距点選択状態であれば、ステップＳ１１０に戻り、測距点選択状態でなければ、図１０の測距点移動ルーチン（ステップＳ１１１）を終了する。
【００８９】
以上述べたように本実施形態では、測距点移動ルーチン（ステップＳ１１１）で径方向測距点移動ルーチン（ステップＳ２０３）と周回方向測距点移動ルーチン（ステップＳ２０５）とを組み合わせて、１９個の測距点を２次元的に移動、選択可能となっている。例えば図４に示すように測距点３０３Ｃが選択されている状態で、測距点選択ボタン４７を押下して測距点選択状態（ステップＳ１１０）になると、測距点移動ルーチン（ステップＳ１１１）が開始される（図６Ａの状態）。そして、電子ダイヤル４６を２クリック分以上右側（時計回り方向）に回転操作すれば、図６Ｂに示すように、選択する測距点は、測距点３０３Ｃから測距点３０５ＣＯに移動する。ここで６秒以内にＦＥロックボタン４３を押下した後、電子ダイヤル４６を２クリックだけ左側（反時計回り方向）に回転操作すれば、図６Ｃに示すように、選択する測距点は、測距点３０５ＣＯから測距点３０３ＴＯに移動する。
【００９０】
再び測距点選択ボタン４７を押下して電子ダイヤル４６を左側（反時計回り方向）に回転操作すれば、図６Ｃに示すように、選択する測距点は、測距点３０３ＴＯから測距点３０１ＢＯへ向かう斜め下の径方向（図中矢印−Ｒ）に移動する。例えば電子ダイヤル４６を左側（反時計回り方向）に１クリックだけ回転操作すれば、測距点３０３ＵＩへ移動する。ここでまた６秒以内にＦＥロックボタン４３を押下した後、電子ダイヤル４６を回転操作すれば、図６Ｄに示すように、内周部の周回方向に移動する。
【００９１】
このように、ファインダ観察画面３００内に内周部及び外周部を形成するように配置された１９個の測距点を撮影者が任意に選択する際、測距点選択ボタン４７の操作後、測距点選択操作部材である電子ダイヤル４６を操作することで、径方向の測距点移動を行うことができる。また、切り替え操作部材であるＦＥロックボタン４３（測距点選択状態以外では他の機能ボタンである）を押下して、測距点選択操作部材である電子ダイヤル操作４６を操作することで、周回方向の測距点移動を行うことができる。このように、新たな操作部材を追加することなく、測距点の選択方向を変えることが可能である。
【００９２】
この場合に、測距点選択ボタン４７が押下されていない限り、電子ダイヤル４６が外部に接触したとしても、不用意に測距点が移動することがない。
【００９３】
また、撮影者は、測距点選択ボタン４７の操作で測距点選択状態であることと、ここで、電子ダイヤル４６を操作することで、径方向の測距点移動可能なことを認識することができ、更にＦＥロックボタン４３を押下すること、自身で測距点移動可能な方向が周回方向に変更したことを認識することができる。したがって、測距点移動の方向に関して、誤操作のない操作方法といえる。
【００９４】
しかも、ＦＥロックボタン４３、電子ダイヤル４６は、いずれもレリーズボタン４１の近傍に配置されているので、撮影者がカメラ４０を右手５１でホールドした状態で、レリーズボタン４１を押下する人差し指５１ａで、ＦＥロックボタン４３、電子ダイヤル４６を操作することができる。また、測距点選択ボタン４７も親指５１ｂで押下操作することができるので、撮影者がカメラ４０をホールドし、ファインダを覗き、撮影準備動作に入った際、その姿勢のままで、撮影動作を阻害することなく、径方向及び周回方向の２つの方向の測距点移動操作を行うことができる。
【００９５】
以上述べたように、撮影準備動作に入った状態で、２次元的に配置された測距点の中から任意の測距点を選択するにあたり、測距点選択の操作感覚と測距点移動感覚とを一致させることができ、操作性に優れたカメラを提供することができる。
【００９６】
（第２の実施形態）
図１２は、第２の実施形態のカメラ４０の外観背面図である。第１の実施形態と異なるのは、背蓋５２に次の２つの操作部材４８、４９が追加された点であり、第１の実施形態で説明した構成要素と同一のものには同一符号を付して説明する。
【００９７】
４８は背蓋電子ダイヤルであり、第１の実施形態で説明した電子ダイヤル４６と略同一構造を有する。カメラ起動状態でレリーズボタン４１を操作し、測光スイッチＳＷ-１がＯＮとなった状態で、背蓋電子ダイヤル４８を回転操作することで、測光値からの露出値に対して露出補正を行う。測距点選択ボタン４７が押下され、所定の測距点から任意の測距点に移動操作可能とする測距点選択状態で、背蓋電子ダイヤル４８を回転操作すると、選択する測距点の周回方向の移動が可能となる（図６Ｂを参照）。
【００９８】
４９は背蓋スイッチであり、背蓋電子ダイヤル４８の入力をカメラ４０に伝えるか否かを切り替える。背蓋スイッチ４９がＯＮ位置にあれば背蓋電子ダイヤル４８の入力を受け付け、ＯＦＦ位置にあれば入力を受け付けない。即ち、測距点選択状態において、測距点の周回方向の移動は、背蓋スイッチ４９がＯＮ位置にあるときのみ、背蓋電子ダイヤル４８を回転操作することで回転方向に同期した形で可能となる。換言すれば、測距点選択状態において、図１２に示すように背蓋スイッチ４９がＯＦＦ位置にあれば、背蓋電子ダイヤル４８を回転操作しても測距点の周回方向の移動は行われない。
【００９９】
カメラ起動状態や測距点選択状態で、撮影者が不用意に背蓋電子ダイヤル４８を回転操作したり、カメラを帯行した際に背蓋電子ダイヤル４８が不用意に外部と接触することで回転操作されたりして、カメラの露出補正値や選択した測距点が変わることを防止するため、背蓋スイッチ４９でＯＦＦ設定可能としたものである。
【０１００】
なお、本実施形態のカメラ４０では、背蓋スイッチ４９のＯＮ／ＯＦＦ位置に関わらず、第１の実施形態と同様の操作によって、測距点の周回方向の移動、選択が可能となっている。
【０１０１】
図１３は、本実施形態のカメラ４０の電気回路構成の要部を示すブロック図である。なお、第１の実施形態で説明した構成要素と同一のものには同一符号を付して説明する。第１の実施形態の図８と異なるのは、背蓋電子ダイヤル４８、背蓋スイッチ４９の追加により、ＢＰ-ＤＩＡＬ１、ＢＰ-ＤＩＡＬ２、ＢＰ-ＳＷが追加されている点である。
【０１０２】
ＢＰ-ＤＩＡＬ１及びＢＰ-ＤＩＡＬ２は、電子ダイヤル４６と略同一構造を有する背蓋電子ダイヤル４８内に設けられたダイヤルスイッチであり、信号入力制御回路１０４のアップダウンカウンタに入力され、背蓋電子ダイヤル４８の回転クイック量をカウントする。ＢＰ-ＳＷは、背蓋電子ダイヤル４８の入力を伝える背蓋スイッチ４９内に設けられたスイッチであり、ＯＮ位置にあれば、ＧＮＤに接続し、背蓋電子ダイヤル４８を操作することで、ＢＰ-ＤＩＡＬ１とＢＰ-ＤＩＡＬ２が信号入力制御回路１０４のアップダウンカウンタに入力され、ＯＦＦ位置にあれば、背蓋電子ダイヤル４８を操作しても信号入力制御回路１０４には信号変化が入力されない。
【０１０３】
次に、図１４のフローチャートを参照して、本実施形態のカメラ４０での処理動作を説明する。基本的な処理動作は、第１の実施形態の図１０のフローチャートと同様であり、相違するのは測距点移動サブルーチン（ステップＳ１１１Ａ）である。したがって、図１４において図１０と同一の処理ステップには同一符号を付して、その詳細な説明は省略する。
【０１０４】
以下、図１５のフローチャートを参照して、測距点移動サブルーチン（ステップＳ１１１Ａ）について詳述する。第１の実施形態の図１１のフローチャートと相違するのは、背蓋電子ダイヤル入力（ステップＳ２０７）と、周回方向測距点移動（ステップＳ２０８）が追加された点である。測距点任意選択モード（ステップＳ１０９）で測距点選択ボタン４７が押下されると、測距点選択状態（ステップＳ１１０）に移り、測距点移動ルーチンが開始される。
【０１０５】
まずＣＰＵ１００は、ＦＥロックボタン４３によるＳＷ-ＦＥＬの信号入力が信号入力制御回路１０４にあるか否かを確認する（ステップＳ２０１）。
【０１０６】
ステップＳ２０１においてＦＥロックボタン４３が押下されず、ＳＷ-ＦＥＬの信号入力が信号入力制御回路１０４になければ、ＣＰＵ１００は、電子ダイヤル４６によるＳＷ-ＤＩＡＬ１、ＳＷ-ＤＩＡＬ２の信号入力が信号入力制御回路１０４にあるか否かを確認する（ステップＳ２０２）。
【０１０７】
電子ダイヤル４６によるＳＷ-ＤＩＡＬ１、ＳＷ-ＤＩＡＬ２の信号入力があれば、図６Ａに示すように、測距点の内周部や外周部の切り替えのための径方向移動を行う径方向測距点移動ルーチンに入る（ステップＳ２０３）。ここでは、図７（ｂ）に示すＳＷ-ＤＩＡＬ１、ＳＷ-ＤＩＡＬ２の入力で、電子ダイヤル４６の回転方向を判別し、信号量により測距点を移動させる。具体的には、第１の実施形態で説明したとおりである。
【０１０８】
径方向測距点移動ルーチン（ステップＳ２０３）が終了すると、再び測距点選択状態であるか否かを確認する（ステップＳ２０６Ａ）。ＳＷ-ＤＩＡＬ１、ＳＷ-ＤＩＡＬ２、ＳＷ-ＦＥＬ、ＳＷ-ＦＰＳのいずれかの最後の信号入力から所定時間内、本実施形態では６秒内、測距点選択状態である。
【０１０９】
ステップＳ２０１においてＦＥロックボタン４３が押下され、ＳＷ-ＦＥＬの信号入力が信号入力制御回路１０４にあれば、ＣＰＵ１００は、電子ダイヤル４６によるＳＷ-ＤＩＡＬ１、ＳＷ-ＤＩＡＬ２の信号入力が信号入力制御回路１０４にあるか否かを確認する（ステップＳ２０４）。
【０１１０】
電子ダイヤル６４によるＳＷ-ＤＩＡＬ１、ＳＷ-ＤＩＡＬ２の信号入力があれば、図６Ｂに示すように、測距点の内周部や外周部の周回方向移動を行う周回方向測距点移動ルーチンに入る（ステップＳ２０５）。ここでも、径方向測距点移動ルーチン（ステップＳ２０３）と同様にＳＷ-ＤＩＡＬ１、ＳＷ-ＤＩＡＬ２の入力で、電子ダイヤル４６の回転方向を判別し、信号量により測距点を移動させる。具体的には、第１の実施形態で説明したとおりである。
【０１１１】
周回方向測距点移動ルーチン（ステップＳ２０５）が終了すると、再び測距点選択状態であるか否かを確認する（ステップＳ２０６Ａ）。ＳＷ-ＤＩＡＬ１、ＳＷ-ＤＩＡＬ２、ＳＷ-ＦＥＬ、ＳＷ-ＦＰＳのいずれかの最後の信号入力から所定時間内、本実施形態では６秒内、測距点選択状態である。
【０１１２】
次に、ステップＳ２０６Ａにおいて測距点選択状態で、かつ、背蓋スイッチ４９がＯＮ位置であるときに、背蓋電子ダイヤル４８によるＢＰ-ＤＩＡＬ１、ＢＰ-ＤＩＡＬ２の信号入力があれば（ステップＳ２０７）、周回方向測距点移動ルーチン（ステップＳ２０５）と同様に測距点の周回方向移動を行う周回方向測距点移動ルーチンに入る（ステップＳ２０８）。ここでも、電子ダイヤル４６の場合と同様に、ＢＰ-ＤＩＡＬ１、ＢＰ-ＤＩＡＬ２の入力で、背蓋電子ダイヤル４８の回転方向を判別し、信号量により測距点を周回方向に移動させる。
【０１１３】
具体的には、測距点３０５ＣＯが選択されて点灯している状態で、背蓋電子ダイヤル４８を１クリックだけ反時計回り方向に回転操作すれば、ＢＰ-ＤＩＡＬ１、ＢＰ-ＤＩＡＬ２の信号は、アップダウンカウンタで、回転方向と１クリック分の信号入力を判別し、ＣＰＵ１００は、ＳＬＣＤ駆動回路１０５ｂに信号を送る。そして、点灯している測距点３０５ＣＯに対応する測距マークを不透過部とし、測距点３０４ＵＯに対応する測距マークを透過部とすることで、点灯する測距点は、測距点３０５ＵＯから周回方向上側の測距点３０４ＵＯに移動する。更に背蓋電子ダイヤル４８を反時計回り方向に１クリック分以上回転操作すると、クリックの数だけ選択表示が外周測距点を反時計回り方向に移動し、測距点を周回選択できる。背蓋電子ダイヤル４８を時計回り方向に回転操作すれば、点灯している外周測距点は、時計回り方向に周回移動する。
【０１１４】
例えば測距点３０４ＵＯに移動後、６秒以内に背蓋電子ダイヤル４８を１クリックだけ左側（反時計回り方向）に回転操作すれば、図６Ｃに示すように、点灯する測距点は、測距点３０４ＵＯから測距点３０３ＴＯに移動する。再び６秒以内に電子ダイヤル４６を左側（反時計方向）に回転操作すれば、点灯する測距点は、測距点３０３ＴＯから測距点３０１ＢＯへ向かう斜め下の径方向（図中矢印−Ｒ）に移動する。具体的に電子ダイヤル４６を左側（反時計回り方向）に１クリックだけ回転操作すれば、図６Ｄに示すように、測距点３０３ＵＩへ移動する。ここでまた６秒以内に背蓋電子ダイヤル４８を回転操作すれば、図６Ｄに示すように、内周部の周回方向に移動する。
【０１１５】
また、図６Ｅに示すように、測距点３０２ＴＩに移動後、６秒以内に電子ダイヤル４６を左側（反時計回り方向）に１クリックだけ回転操作すれば、点灯する測距点は、測距点３０２ＴＩから測距点３０３Ｃに移動し、２クリックだけ回転操作すれば、測距点３０２ＢＩに移動する。この画面縦方向の径方向移動では外周の周回選択に入るために、測距点３０２ＢＩが選択されているときは、電子ダイヤル４６を左側（反時計回り方向）に更に１クリックだけ回転操作し、測距点３０２ＴＩが選択されているときは、電子ダイヤル４６を右側（時計回り方向）に更に１クリックだけ回転操作すればよい。そして、６秒以内に背蓋電子ダイヤル４８を１クリックだけ左側（反時計回り方向）に回転操作すれば、図６Ｆに示すように測距点３０１ＴＯに、１クリックだけ右側（時計回り方向）に回転操作すれば、測距点３０３ＴＯに移動する。
【０１１６】
周回方向測距点移動ルーチン（ステップＳ２０８）が終了すると、再び測距点選択状態であるか否かを確認する（ステップＳ２０６Ｂ）。ＢＰ-ＤＩＡＬ１、ＢＰ-ＤＩＡＬ２、ＳＷ-ＤＩＡＬ１、ＳＷ-ＤＩＡＬ２、ＳＷ-ＦＥＬ、ＳＷ-ＡＦＳのいずれかの最後の信号入力から所定時間内、本実施形態では６秒内は、測距点選択状態である。
【０１１７】
なお、ステップＳ２０７において背蓋電子ダイヤル４８が操作されない、又は、背蓋スイッチ４９がＯＦＦ位置で、背蓋電子ダイヤル４８のＢＰ-ＤＩＡＬ１、ＢＰ-ＩＡＬ２の信号入力がなければ（ステップＳ２０７）、再び測距点選択状態であるか否かを確認する（ステップＳ２０６Ｂ）。測距点選択状態であれば、測距点選択状態（ステップＳ１１０）に戻り、測距点選択状態でなければ、図１４の測距点移動ルーチン（ステップＳ１１１Ａ）を終了する。
【０１１８】
以上述べたように本実施形態では、第１の実施形態と同様に、測距点移動ルーチン（ステップＳ１１１Ａ）で径方向測距点移動ルーチン（ステップＳ２０３）と周回方向測距点移動ルーチン（ステップＳ２０５又はステップＳ２０８）とを組み合わせて、１９個の測距点を２次元的に移動、選択可能となっている。
【０１１９】
更に背蓋電子ダイヤル４８を操作して周回方向測距点移動ルーチン（ステップＳ２０８）に入ることを可能とした上で、背蓋スイッチ４９でＯＦＦ設定可能としている。これにより、カメラ起動状態や測距点選択状態で、撮影者が不用意に背蓋電子ダイヤル４８を操作したり、カメラを帯行した際に背蓋電子ダイヤル４８が不用意に外部と接触することで操作されたりして、カメラの露出補正値や測距点選択が変わることを防止することができる。
【０１２０】
この場合でも、ＦＥロックボタン４３を操作することでの周回方向測距点移動ルーチン（ステップＳ２０５）が存在するので、測距点の周回方向移動が可能である。例えば背蓋スイッチ４９がＯＦＦ位置で、測距点３０３Ｃが選択されて点灯している状態で、測距点選択ボタン４７が押下し、測距点選択状態（ステップＳ１１０）になり、測距点移動ルーチン（ステップＳ１１１）が開始される。そして、電子ダイヤル４６を２クリック分以上右側に回転操作すれば、選択する測距点は、測距点３０３Ｃから測距点３０５ＣＯに移動する。ここで６秒以内にＦＥロックボタン４３を押下した後、電子ダイヤル４６を２クリックだけ左側に回転操作すれば、測距点３０３ＴＯに移動する。
【０１２１】
また、背蓋スイッチ４９がＯＮ位置であれば、選択する測距点が測距点３０３Ｃが測距点３０５ＣＯに移動した後、６秒以内に背蓋電子ダイヤル４８を２クリックだけ反時計回り方向に回転操作すれば、測距点３０３ＴＯに移動する。
【０１２２】
このように周回方向の測距点移動のための操作部材として、電子ダイヤル４６と略同一構造を有する背蓋電子ダイヤル４８を追加することにより、撮影者は周回方向の測距点移動を自らが操作容易と考える操作部材を選択して操作を行うことができる。
【０１２３】
（第３の実施形態）
図１６は、第３の実施形態のカメラ４０の外観背面図である。第１の実施形態と異なるのは、背蓋５２に次の２つの操作部材７１、４９が追加された点であり、第１の実施形態で説明した構成要素と同一のものには同一符号を付して説明する。
【０１２４】
７１は十字型をしたジョイパッドであり（以下、「十字キー」と称する）、上下左右の四方向それぞれの突起部７１ａ〜７１ｄを押圧すると、各四方向に応じた信号を発生する。測距点選択ボタン４７が押下され、所定の測距点から任意の測距点に移動操作可能とする測距点選択状態で、十字キー７１を操作すると、選択する測距点の径方向の移動が可能となる（図６Ａを参照）。
【０１２５】
４９は背蓋スイッチであり、十字キー７１の入力をカメラ４０に伝えるか否かを切り替える。背蓋スイッチ４９がＯＮ位置にあれば十字キー７１の入力を受け付け、ＯＦＦ位置にあれば入力を受け付けない。即ち、測距点選択状態において、測距点の径方向の移動は、背蓋スイッチ４９がＯＮ位置にあるときのみ、十字キー７１を操作することで押圧方向に同期した形で可能となる。換言すれば、測距点選択状態において、図１６に示すように背蓋スイッチ４９がＯＦＦ位置にあれば、十字キー７１を操作しても測距点の径方向の移動は行われない。
【０１２６】
測距点選択状態で、撮影者が不用意に十字キー７１を操作したり、カメラを帯行した際に十字キー７１が不用意に外部と接触することで操作されたりして、選択した測距点が変わることを防止するため、背蓋スイッチ４９でＯＦＦ設定可能としたものである。
【０１２７】
なお、測距点の周回方向の移動は、電子ダイヤル４６を回転操作することで、回転方向に同期した形で可能である。
【０１２８】
背蓋スイッチ４９がＯＮ位置にあり、測距点選択ボタン４７を押下されたとする。例えば測距点３０３Ｃが選択されて点灯している状態で、十字キー７１の右側の突起部７１aを押圧操作すると、図１７に示すように、点灯している測距点３０３Ｃに対応する測距マークを不透過部とし、１回の押圧操作で測距点３０４ＣＩ、２回以上の押圧操作で３０５ＣＯに対応する測距マークを透過部とすることで、点灯する測距点は、径方向右横の測距点３０４ＣＩや３０５ＣＯに移動する。
【０１２９】
また、例えば測距点３０３Ｃが選択されて点灯している状態で、十字キー７１の左側の突起部７１ｂを押圧操作すると、図１７に示すように、点灯している測距点３０３Ｃに対応する測距マークを不透過部とし、１回の押圧操作で測距点３０２ＣＩ、２回以上の押圧操作で３０１ＣＯに対応する測距マークを透過部とすることで、点灯する測距点は、径方向左横の測距点３０２ＣＩや３０１ＣＯに移動する。
【０１３０】
また、例えば測距点３０３Ｃが選択されて点灯している状態で、十字キー７１の上側の突起部７１ｃを押圧操作すると、図１７に示すように、点灯している測距点３０３Ｃに対応する測距マークを不透過部とし、１回以上の押圧操作で測距点３０２ＴＩに対応する測距マークを透過部とすることで、点灯する測距点は、径方向上の測距点３０２ＴＩに移動する。
【０１３１】
また、例えば測距点３０３Ｃが選択されて点灯している状態で、十字キー７１の下側の突起部７１ｄを押圧操作すると、図１７に示すように、点灯している測距点３０３Ｃに対応する測距マークを不透過部とし、１回以上の押圧操作で測距点３０２ＢＩに対応する測距マークを透過部とすることで、点灯する測距点は、径方向下の測距点３０２ＢＩに移動する。
【０１３２】
測距点３０２ＣＩ、３０４ＣＩ、３０２ＴＩ、３０２ＢＩに移動した後、６秒以内に更に電子ダイヤル４６を回転操作すると、第１の実施形態で説明したように内周部の測距点を周回選択できる。また、測距点３０１ＣＯ、３０５ＣＯに移動した後、６秒以内に更に電子ダイヤル４６を回転操作すると、第１の実施形態で説明したように外周部の測距点を周回選択できる。
【０１３３】
（第４の実施形態）
図１８は、第４の実施形態のカメラ４０の外観背面図である。第１の実施形態と異なるのは、背蓋５２に次の２つの操作部材７２、４９が追加された点であり、第１の実施形態で説明した構成要素と同一のものには同一符号を付して説明する。
【０１３４】
７２はＸ字型をしたジョイパッドであり（以下、「Ｘ字キー」と称する）、Ｘ字の四方向それぞれの突起部７２ａ〜７２ｄを押圧すると、各四方向に応じた信号を発生する。測距点選択ボタン４７が押下され、所定の測距点から任意の測距点に移動操作可能とする測距点選択状態で、Ｘ字キー７２を操作すると、径方向の測距点移動が可能となる。
【０１３５】
４９は背蓋スイッチであり、Ｘ字キー７２の入力をカメラ４０に伝えるか否かを切り替える。背蓋スイッチ４９がＯＮ位置にあればＸ字キー７２の入力を受け付け、ＯＦＦ位置にあれば入力を受け付けない。即ち、測距点選択状態において、測距点の径方向の移動は、背蓋スイッチ４９がＯＮ位置にあるときのみ、Ｘ字キー７２を操作することで押圧方向に同期した形で可能となる。換言すれば、測距点選択状態において、図１８に示すように背蓋スイッチ４９がＯＦＦ位置にあれば、Ｘ字キー７２を操作しても測距点の径方向の移動は行われない。
【０１３６】
測距点選択状態で、撮影者が不用意にＸ字キー７２を操作したり、カメラを帯行した際にＸ字キー７２が不用意に外部と接触することで操作されたりして、選択した測距点が変わることを防止するため、背蓋スイッチ４９でＯＦＦ設定可能としたものである。
【０１３７】
なお、測距点の周回方向の移動は、電子ダイヤル４６を回転操作することで、回転方向に同期した形で可能である。
【０１３８】
背蓋スイッチ４９がＯＮ位置にあり、測距点選択ボタン４７を押下されたとする。例えば測距点３０３Ｃが選択されて点灯している状態で、Ｘ字キー７２の突起部７２ａを押圧操作すると、図１９に示すように、点灯している測距点３０３Ｃに対応する測距マークを不透過部とし、１回の押圧操作で測距点３０３ＵＩ、２回以上の押圧操作で３０３ＴＯに対応する測距マークを透過部とすることで、点灯する測距点は、径方向右斜め上の測距点３０３ＵＩや３０３ＴＯに移動する。
【０１３９】
また、例えば測距点３０３Ｃが選択されて点灯している状態で、Ｘ字キー７２の突起部７２ｂを押圧操作すると、図１９に示すように、点灯している測距点３０３Ｃに対応する測距マークを不透過部とし、１回の押圧操作で測距点３０３ＤＩ、２回以上の押圧操作で３０３ＢＯに対応する測距マークを透過部とすることで、点灯する測距点は、径方向右斜め下の測距点３０３ＤＩや３０３ＢＯに移動する。
【０１４０】
また、例えば測距点３０３Ｃが選択されて点灯している状態で、Ｘ字キー７２の突起部７２ｃを押圧操作すると、図１９に示すように、点灯している測距点３０３Ｃに対応する測距マークを不透過部とし、１回の押圧操作で測距点３０２ＵＩ、２回以上の押圧操作で３０１ＴＯに対応する測距マークを透過部とすることで、点灯する測距点は、径方向左斜め上の測距点３０２ＵＩや３０１ＴＯに移動する。
【０１４１】
また、例えば測距点３０３Ｃが選択されて点灯している状態で、Ｘ字キー７２の突起部７２ｄを押圧操作すると、図１９に示すように、点灯している測距点３０３Ｃに対応する測距マークを不透過部とし、１回の押圧操作で測距点３０２ＤＩ、２回以上の押圧操作で３０１ＢＯに対応する測距マークを透過部とすることで、点灯する測距点は、径方向左斜め下の測距点３０２ＤＩや３０１ＢＯに移動する。
【０１４２】
測距点３０２ＵＩ、３０２ＤＩ、３０３ＵＩ、３０３ＤＩに移動した後、６秒以内に更に電子ダイヤル４６を回転操作すると、第１の実施形態で説明したように内周部の測距点を周回選択できる。また、測距点３０１ＴＯ、３０１ＢＯ、３０３ＴＯ、３０３ＢＯに移動した後、６秒以内に更に電子ダイヤル４６を回転操作すると、第１の実施形態で説明したように外周部の測距点を周回選択できる。
【０１４３】
（第５の実施形態）
図２０は、第５の実施形態でのファインダ観察画面３００内での測距点移動を説明する図である。本実施形態が第１の実施形態と異なるのは、測距点の周回選択の切り替えにＦＥロックボタン４３を使用しない点であり、第１の実施形態で説明した構成要素と同一のものには同一符号を付して説明する。
【０１４４】
測距点選択ボタン４７を押下すると、初期状態では測距点３０３ｃが選択された状態となる。電子ダイヤル４６を時計回り方向に回転操作すると、回転方向に同期した形で、図２０に示すように、選択する測距点は、測距点３０３Ｃから図中の径方向である水平方向の測距点３０４ＣＩに移動する。更に電子ダイヤル４６の時計回り方向への回転操作を続けると、測距点３０３ＤＩ、３０２ＢＩ、３０２ＤＩ、３０２ＣＩ、３０２ＵＩ、３０２ＴＩ、３０３ＵＩと内周部の測距点の周回方向移動が行われる。
【０１４５】
更にまた電子ダイヤル４６の時計回り方向回転への回転操作を続けると、測距点３０３ＵＩから測距点３０５ＣＯ、３０４ＤＯ、３０３ＢＯ、３０１ＢＯ、３０１ＤＯ、３０１ＣＯ、３０１ＵＯ、３０１ＴＯ、３０３ＴＯ、３０４ＵＯと外周部の測距点の周回方向選択が行われる。
【０１４６】
更に電子ダイヤル４６の時計回り方向への回転操作を続けると、最初の測距点３０３Ｃへと戻る。電子ダイヤル４６を反時計回り方向に回転させると、測距点選択の順番は逆となる。
【０１４７】
このように、中央の測距点３０３Ｃから内周部や外周部への径方向移動と、内周部や外周部での周回移動との切り替えにＦＥロックボタン４３の操作が不要となり、電子ダイヤル４６を回転させるだけでよく、操作が極めて簡単になる。
【０１４８】
（第６の実施形態）
図２１は、第６の実施形態のカメラ４０の外観背面図である。第１の実施形態と異なるのは、背蓋５２に次の３つの操作部材４８、７３、４９が追加された点であり、第１の実施形態で説明した構成要素と同一のものには同一符号を付して説明する。
【０１４９】
４８は背蓋電子ダイヤルであり、第１の実施形態で説明した電子ダイヤル４６と略同一構造を有する。カメラ起動状態でレリーズボタン４１を操作し、測光スイッチＳＷ-１がＯＮとなった状態で、背蓋電子ダイヤル４８を操作することで、測光値からの露出値に対して露出補正を行う。測距点選択ボタン４７が押下され、所定の測距点から任意の測距点に移動操作可能とする測距点選択状態で、背蓋電子ダイヤル４８を回転操作すると、選択する測距点の周回方向の移動が可能となる（図６Ｂを参照）。
【０１５０】
７３は背蓋電子ダイヤル４８の中央に配置された中央・内・外周切り替えボタンであり、押圧する度に中央測距点、内周部測距点、外周部測距点の各選択領域を切り替える径方向移動の働きをする。
【０１５１】
４９は背蓋スイッチであり、背蓋電子ダイヤル４８及び中央・内・外周切り替えボタン７３の入力をカメラ４０に伝えるか否かを切り替える。背蓋スイッチ４９がＯＮ位置にあれば背蓋電子ダイヤル４８及び中央・内・外周切り替えボタン７３の入力を受け付け、ＯＦＦ位置にあれば入力を受け付けない。即ち、測距点選択状態において、測距点の周回方向の移動は、背蓋スイッチ４９がＯＮ位置にあるときのみ、中央・内・外周切り替えボタン７３を押圧操作することで中央測距点、内周部測距点、外周部測距点を切り替え、また、背蓋電子ダイヤル４８を回転操作することで回転方向に同期した形で可能となる。換言すれば、測距点選択状態において、図２１に示すように背蓋スイッチ４９がＯＦＦ位置にあれば、中央・内・外周切り替えボタン７３を押圧操作しても中央測距点、内周部測距点、外周部測距点の切り替えが行われず、また、背蓋電子ダイヤル４８を回転操作しても測距点の周回方向の移動は行われない。
【０１５２】
カメラ起動状態や測距点選択状態で、撮影者が不用意に背蓋電子ダイヤル４８や中央・内・外周切り替えボタン７３を操作したり、カメラを帯行した際に背蓋電子ダイヤル４８や中央・内・外周切り替えボタン７３が不用意に外部と接触することで操作されたりして、カメラの露出補正値や選択した測距点が変わることを防止するため、背蓋スイッチ４９でＯＦＦ設定可能としたものである。
【０１５３】
図２２は、ファインダ観察画面３００内での測距点移動を説明する図である。背蓋スイッチ４９がＯＮ位置にあり、測距点選択ボタン４７が押下されたとする。例えば測距点３０３Ｃが点灯している状態で、中央・内・外周切り替えボタン７３を押圧操作すると、図２２に示すように、点灯している測距点３０３Ｃに対応する測距マークを不透過部とし、１回の押圧操作で測距点３０４ＣＩ、２回の押圧操作で３０５ＣＯに対応する測距マークを透過部とすることで、点灯する測距点は、径方向右横の測距点３０４ＣＩや３０５ＣＯに移動する。
【０１５４】
測距点３０４ＣＩに移動した後、６秒以内に更に背蓋電子ダイヤル４８を回転操作すると、第１の実施形態で説明したように内周部の測距点を周回選択できる。また、測距点３０５ＣＯに移動した後、６秒以内に背蓋電子ダイヤル４８を回転操作すると、第１の実施形態で説明したように外周部の測距点を周回選択できる。
【０１５５】
また、測距点選択状態において、測距点が３０１ＴＯの行、或いは３０１ＵＯの行、或いは３０１ＣＯの行、或いは３０１ＤＯの行、或いは３０１ＢＯの行に移動した後、電子ダイヤル４６を回転操作すると、回転方向に対応して、各行内でＸ方向（水平方向）に測距点を移動できる。更にＸ方向（水平方向）に測距点を移動して、背蓋電子ダイヤル４８を回転操作すると、回転方向に対応してそのときに選択されている測距点の属する内周部か外周部において周回選択ができる。
【０１５６】
本実施形態では、測距点配置と測距点選択操作部材の配置とを合致させ、測距点選択の操作感覚と測距点移動感覚とが一致するようにして使い易くした。
【０１５７】
（第７の実施形態）
図２３は、第７の実施形態のカメラ４０の外観背面図である。第１の実施形態と異なるのは、背蓋５２に次の４つの操作部材４８、７４、７５、４９が追加された点であり、第１の実施形態で説明した構成要素と同一のものには同一符号を付して説明する。
【０１５８】
４８は外側背蓋電子ダイヤルであり、第１の実施形態で説明した電子ダイヤル４６と略同一構造を有する。カメラ起動状態でレリーズボタン４１を操作し、測光スイッチＳＷ-１がＯＮとなった状態で、外側背蓋電子ダイヤル４８を操作することで、測光値からの露出値に対して露出補正を行う。測距点選択ボタン４７が押下され、所定の測距点から任意の測距点に移動操作可能とする測距点選択状態で、外側背蓋電子ダイヤル４８を回転操作すると、外周部の測距点の周回方向の移動が可能となる。
【０１５９】
７４は内側背蓋電子ダイヤルであり、外側背蓋電子ダイヤル４８の内側に外側背蓋電子ダイヤル４８と同心に設けられており、第１の実施形態で説明した電子ダイヤル４６と略同一構造を有する。測距点選択ボタン４７が押下され、所定の測距点から任意の測距点に移動操作可能とする測距点選択状態で、内側背蓋電子ダイヤル７４を回転操作すると、内周部の測距点の周回方向の移動が可能となる。
【０１６０】
７５は中央測距点選択ボタンであり、外側背蓋電子ダイヤル４８及び内側背蓋電子ダイヤル７４の中央に配置されており、押圧操作すると中央の測距点３０３Ｃを選択できる。
【０１６１】
４９は背蓋スイッチであり、外側背蓋電子ダイヤル４８及び内側背蓋電子ダイヤル７４、中央測距点選択ボタン７５の入力をカメラ４０に伝えるか否かを切り替える。背蓋スイッチ４９がＯＮ位置にあれば外側背蓋電子ダイヤル４８及び内側背蓋電子ダイヤル７４、中央測距点選択ボタン７５の入力を受け付け、ＯＦＦ位置にあれば入力を受け付けない。即ち、測距点選択状態において、背蓋スイッチ４９がＯＮ位置にあるときのみ、外側背蓋電子ダイヤル４８及び内側背蓋電子ダイヤル７４、中央測距点選択ボタン７５を操作することで測距点の選択が可能となる。換言すれば、測距点選択状態において、図２３に示すように背蓋スイッチ４９がＯＦＦ位置にあれば、外側背蓋電子ダイヤル４８及び内側背蓋電子ダイヤル７４、中央測距点選択ボタン７５を操作しても、測距点の移動は行われない。
【０１６２】
カメラ起動状態や測距点選択状態で、撮影者が不用意に外側背蓋電子ダイヤル４８及び内側背蓋電子ダイヤル７４、中央測距点選択ボタン７５を操作したり、カメラを帯行した際に外側背蓋電子ダイヤル４８及び内側背蓋電子ダイヤル７４、中央測距点選択ボタン７５が不用意に外部と接触することで操作されたりして、カメラの露出補正値や選択した測距点が変わることを防止するため、背蓋スイッチ４９でＯＦＦ設定可能としたものである。
【０１６３】
図２４は、ファインダ観察画面３００内での測距点移動を説明する図である。背蓋スイッチ４９がＯＮ位置にあり、測距点選択ボタン４７が押下されたとする。例えば測距点３０３Ｃが点灯している状態で、外側背蓋電子ダイヤル４８を回転操作すると、図２４に示すように、点灯している測距点３０３Ｃに対応する測距マークを不透過部とし、測距点３０５ＣＯ、３０４ＤＯ、３０３ＢＯ、３０１ＢＯ、３０１ＤＯ、３０１ＣＯ、３０１ＵＯ、３０１ＴＯ、３０３ＴＯ、３０４ＵＯと外周部の測距点の周回方向選択を可能とする。
【０１６４】
同様に、内側背蓋電子ダイヤル７４を回転操作すると、図２４に示すように、点灯している測距点３０３Ｃに対応する測距マークを不透過部とし、測距点３０４ＣＩ、３０３ＤＩ、３０２ＢＩ、３０２ＤＩ、３０２ＣＩ、３０２ＵＩ、３０２ＴＩ、３０３ＵＩと内周部の測距点の周回方向選択を可能とする。
【０１６５】
また、中央測距点選択ボタン７５を押圧操作すると、中央の測距点３０３Ｃを選択できる。
【０１６６】
また、測距点選択状態において、測距点が３０１ＴＯの行、或いは３０１ＵＯの行、或いは３０１ＣＯの行、或いは３０１ＤＯの行、或いは３０１ＢＯの行に移動した後、電子ダイヤル４６を回転操作すると、回転方向に対応して、各行内でＸ方向（水平方向）に測距点を移動できる。
【０１６７】
本実施形態では、測距点配置と測距点選択操作部材の配置とを合致させ、測距点選択の操作感覚と測距点移動感覚とが一致するようにして一層使い易くした。
【図面の簡単な説明】
【０１６８】
【図１】第１の実施形態のカメラの概略構成図である。
【図２】第１の実施形態のカメラの上面外観図である。
【図３】第１の実施形態のカメラの背面外観図である。
【図４】ファインダ観察画面内の表示状態を示す図である。
【図５】透過型液晶ＳＬＣＤの構成を示す図である。
【図６Ａ】測距点移動を説明するための図である。
【図６Ｂ】測距点移動を説明するための図である。
【図６Ｃ】測距点移動を説明するための図である。
【図６Ｄ】測距点移動を説明するための図である。
【図６Ｅ】測距点移動を説明するための図である。
【図６Ｆ】測距点移動を説明するための図である。
【図７】電子ダイヤルの構造及び出力信号を説明する図である。
【図８】第１の実施形態のカメラの電気回路構成の要部を示すブロック図である。
【図９】モニタ用ＬＣＤとファインダ内ＬＣＤの全表示セグメントの内容を示す図である。
【図１０】第１の実施形態のカメラでの処理動作を説明するためのフローチャートである。
【図１１】図１０の測距点移動ルーチンについて説明するためのフローチャートである。
【図１２】第２の実施形態のカメラの背面外観図である。
【図１３】第２の実施形態のカメラの電気回路構成の要部を示すブロック図である。
【図１４】第２の実施形態のカメラでの処理動作を説明するためのフローチャートである。
【図１５】図１４の測距点移動ルーチンについて説明するためのフローチャートである。
【図１６】第３の実施形態のカメラの背面外観図である。
【図１７】測距点移動を説明するための図である。
【図１８】第４の実施形態のカメラの背面外観図である。
【図１９】測距点移動を説明するための図である。
【図２０】測距点移動を説明するための図である。
【図２１】第６の実施形態のカメラの背面外観図である。
【図２２】測距点移動を説明するための図である。
【図２３】第７の実施形態のカメラの背面外観図である。
【図２４】測距点移動を説明するための図である。
【符号の説明】
【０１６９】
１８…透過型液晶ＳＬＣＤ
１９…バックライトＬＥＤ
４０…カメラ
４１…レリーズボタン
４３…ＦＥロックボタン
４６…電子ダイヤル
４７…測距点選択ボタン
４８…背蓋電子ダイヤル
４９…背蓋スイッチ
７１…ジョイパッド（十字キー）
７２…ジョイパッド（Ｘ字キー）
７３…中央・内・外周切り替えボタン
７４…内側背蓋電子ダイヤル
７５…中央測距点選択ボタン
３００…ファインダ観察画面
３０１ＴＯ〜３０３ＴＯ、３０１ＵＯ〜３０４ＵＯ、３０１ＣＯ〜３０５ＣＯ、３０１ＤＯ〜３０４ＤＯ、３０１ＢＯ〜３０３ＢＯ…測距点マーク
【図１】
2007133027.tif 000003
【図２】
2007133027.tif 000004
【図３】
2007133027.tif 000005
【図４】
2007133027.tif 000006
【図５】
2007133027.tif 000007
【図６Ａ】
2007133027.tif 000008
【図６Ｂ】
2007133027.tif 000009
【図６Ｃ】
2007133027.tif 000010
【図６Ｄ】
2007133027.tif 000011
【図６Ｅ】
2007133027.tif 000012
【図６Ｆ】
2007133027.tif 000013
【図７】
2007133027.tif 000014
【図８】
2007133027.tif 000015
【図９】
2007133027.tif 000016
【図１０】
2007133027.tif 000017
【図１１】
2007133027.tif 000018
【図１２】
2007133027.tif 000019
【図１３】
2007133027.tif 000020
【図１４】
2007133027.tif 000021
【図１５】
2007133027.tif 000022
【図１６】
2007133027.tif 000023
【図１７】
2007133027.tif 000024
【図１８】
2007133027.tif 000025
【図１９】
2007133027.tif 000026
【図２０】
2007133027.tif 000027
【図２１】
2007133027.tif 000028
【図２２】
2007133027.tif 000029
【図２３】
2007133027.tif 000030
【図２４】
2007133027.tif 000031